(57)【要約】【課題】フロントパネルから容易にフィルターを引き出すことができることを目的とする。【解決手段】フロントパネル２の空気の吸込み口３に挿入したフィルター４に、フィルターを固定するための固定用ツメ９と、固定を解除するためのレバー１０とを設けたという構成にしたことにより、レバー１０を操作することでフィルター４が手前にスライドし、その際、固定用ツメ９がフロントパネル２から外れることとなり、フロントパネル２から容易にフィルター４を引き出すことができる。【選択図】図４
2015212611.tif 000002
【特許請求の範囲】
【請求項１】
本体に、空気を吸込む吸込み口と、前記吸込み口に設けたフィルターと、前記フィルターを保持する保持部をと設け、前記フィルターに前記吸込み口に固定する固定手段と、前記吸込み口から固定を解除するレバー部とを設けたことを特徴とするフロントパネル。
【請求項２】
吸込み口に、レバー部が接触する凹部を設けたことを特徴とする請求項１に記載のフロントパネル。
【請求項３】
固定手段を、レバー部の近傍に設けたことを特徴とする請求項１に記載のフロントパネル。
【請求項４】
浴室の天井に請求項１〜３のいずれかに記載のフロントパネルを設けた浴室暖房乾燥機。
【請求項５】
レバー部の両端に前記レバー部より高いリブをフィルターに設けたことを特徴とする請求項１に記載のフロントパネル。
【請求項６】
レバー部に、落下防止用リブを設けたことを特徴とする請求項１に記載のフロントパネル。
【発明の詳細な説明】
【技術分野】
【０００１】
本発明は、送風機内へ風を吸込む吸込み口と送風機内への塵埃の浸入を防ぐフィルターとを備えるフロントパネルとそれを用いた浴室暖房乾燥機に関するものである。
【背景技術】
【０００２】
従来、この種のフロントパネルとそれを用いた浴室暖房乾燥機は以下のものが知られている（例えば、特許文献１参照）。
【０００３】
以下、図７を参照しながら説明する。
【０００４】
図７に示すように、浴室暖房乾燥機の本体１０１にはフロントパネル１０２が取り付けられており、フロントパネル１０２は、風を吸込む吸込み口１０３と、風を吹出す吹出し口１０４を備えており、吸込み口１０３には、浴室暖房乾燥機の本体１０１内への塵埃の浸入を防ぐためのフィルター１０５を下部から挿入するためのフィルター挿入口１０６が設けられている。
【０００５】
また、吸込み口１０３にはフィルター挿入口１０６の他に、上部から挿入するためのフィルター挿入口１０７、左部から挿入するためのフィルター挿入口１０８、右部から挿入するためのフィルター挿入口１０９が設けられており、４方向のどこからでもフィルター１０５を吸込み口１０３に抜き差しすることができ、浴室暖房乾燥機の本体１０１の浴室内の設置場所にかかわらず４方向のどこからからでもフィルターを抜き差しすることが可能となっている。
【先行技術文献】
【特許文献】
【０００６】
【特許文献１】特開２００４−１５０７１７号公報
【発明の概要】
【発明が解決しようとする課題】
【０００７】
このような従来のフロントパネルにおいては、フィルターに付着した塵埃を清掃する際にフロントパネルからフィルターを引き出すが、その際、フィルターに備えているフィルター固定手段を解除しながら引き出す必要があった。
【０００８】
ところが、フィルター固定手段はフィルター落下防止のためにある程度強固なため、フィルター固定手段を解除しながら引き出すことはやり難く、フィルターの引き出しが容易ではない、という課題を有していた。
【０００９】
そこで本発明は、上記従来の課題を解決するものであり、フロントパネルから容易にフィルターを引き出すことができるフロントパネルとそれを用いた浴室暖房乾燥機を提供することを目的とする。
【課題を解決するための手段】
【００１０】
そして、この目的を達成するために、本発明は、本体に、空気を吸込む吸込み口と、前記吸込み口に設けたフィルターと、前記フィルターを保持する保持部をと設け、前記フィルターに前記吸込み口に固定する固定手段と、前記吸込み口から固定を解除するレバー部とを設けたこととしたものであり、これにより所期の目的を達成するものである。
【発明の効果】
【００１１】
本発明によれば、本体に、空気を吸込む吸込み口と、前記吸込み口に設けたフィルターと、前記フィルターを保持する保持部をと設け、前記フィルターに前記吸込み口に固定する固定手段と、前記吸込み口から固定を解除するレバー部とを設けた、という構成にしたことにより、レバー部を操作しフィルターを手前にスライドさせ、その際固定手段が吸込み口から外れることとなるので、フロントパネルから容易にフィルターを引き出すことができる、という効果を得ることができる。
【図面の簡単な説明】
【００１２】
【図１】本発明の実施の形態１のフロントパネルとそれを用いた浴室暖房乾燥機の斜視図
【図２】同フロントパネルとそれを用いた浴室暖房乾燥機のフィルターの斜視図
【図３】同フロントパネルとそれを用いた浴室暖房乾燥機のフィルターを固定した状態の側断面図
【図４】同フロントパネルとそれを用いた浴室暖房乾燥機のフィルターの固定を解除した状態の側断面図
【図５】本発明の実施の形態２のフロントパネルとそれを用いた浴室暖房乾燥機を浴室に設置した状態を示す斜視図
【図６】同フロントパネルとそれを用いた浴室暖房乾燥機の側断面を示す構成図
【図７】本発明の実施の形態３のフロントパネルとそれを用いた浴室暖房乾燥機のフィルターの斜視図
【図８】従来のフロントパネルとそれを用いた浴室暖房乾燥機の斜視図
【発明を実施するための形態】
【００１３】
本発明の請求項１記載のフロントパネルは、本体に、空気を吸込む吸込み口と、前記吸込み口に設けたフィルターと、前記フィルターを保持する保持部をと設け、前記フィルターに前記吸込み口に固定する固定手段と、前記吸込み口から固定を解除するレバー部とを設けた、という構成を有する。これにより、レバー部を操作しフィルターを手前にスライドさせ、その際固定手段が吸込み口から外れることとなるので、フロントパネルから容易にフィルターを引き出すことができる、という効果を奏する。
【００１４】
また、吸込み口に、レバーが接触する凹部を設けた、という構成にしてもよい。これにより、レバー部が凹部に入り込んで凹部の内部に接触することとなるので、見栄え良くするとともにフロントパネルから容易にフィルターを引き出すことができる、という効果を奏する。
【００１５】
また、固定手段を、レバー部の近傍に設けた、という構成にしてもよい。これにより、レバー部にかかる力が固定手段に伝わりやすいこととなるので、フロントパネルからより容易にフィルターを引き出すことができる、という効果を奏する。
【００１６】
また、浴室の天井に設置するフロントパネルにレバー部を設けた、という構成にしてもよい。これにより、作業者が浴室内から天井を見上げてフィルターを引き出す際に、レバー部を操作するだけでフィルターの固定手段がはずれることとなるので、作業性を向上させるとともにフロントパネルからより容易にフィルターを引き出すことができる、という効果を奏する。
【００１７】
また、レバー部の両端に前記レバー部より高いリブをフィルターに設けた、という構成にしてもよい。これにより、フィルターを吸込み口に挿入する際フロントパネルにリブが接触し前記フィルターが前記吸込み口に挿入させることとなるので、フロントパネルの表面の前記レバー部による広範囲の傷を防止することができる、という効果を奏する。
【００１８】
また、レバー部に、落下防止用リブを設けた、という構成にしてもよい。これにより、フィルターに固定されているレバー部の固定が外れて落下し落下防止用リブがフィルターに引っ掛かることとなるので、フィルターの交換をスムーズに行うことができる、という効果を奏する。
【００１９】
以下、本発明の実施の形態について図面を参照しながら説明する。
【００２０】
（実施の形態１）
図１に示すように、浴室暖房乾燥機の本体１に床方向である底面に取り付けられた方形状のフロントパネル２には、吸込み口３と吹出し口５と開口部１１（図３参照）に挿入されるフィルター４とを備え、吸込み口３から吸込まれる空気に含まれる塵埃はフィルター４で捕集され、浴室暖房乾燥機の本体１内に侵入することを防いでいる。
【００２１】
図２に示すように、フィルター４は、塵埃を捕集するためのネット６と、ネット６を保持するための折り曲げが柔軟な樹脂製の格子状のフィルター枠７と、フィルター４を引き抜く際に手をかける凹状の取っ手８と、フィルター４を吸込み口３に固定するための固定用ツメ９と、引き抜く際に操作するレバー１０とで構成されている。
【００２２】
なお、固定用ツメ９は、側方から見て三角形状とし、傾斜としては吸込み口３側はゆるく対向側は急の角度とするので、フィルター４を開口部１１に入れると吸込み口３側の傾斜がフロントパネル２に接触しながら上昇し、三角形状の頂点に達すると、吸込み口３側と対向する側の傾斜がフロントパネル２に接触しながら下降し、フロントパネル２に到達し、結果、フィルター４がフロントパネル２と固定用ツメ９の急な傾斜とで係合するので、フィルター４を開口部１１に挿入しやすくかつ固定することができる。
【００２３】
なお、長方形状のレバー１０は、上下方向のかつ左右方向すなわちレバー１０の中心である略中央部の両端に左右方向に突起した凸状のボス３４を設け、フィルター４にレバー１０を取り付ける開口部（図示せず）に前記凸状のボス３４と係合する係合孔（図示せず）を設け係合させている。
【００２４】
図３に示すように、フィルター４はフロントパネル２の手前の吹出し口５がある側の開口部１１から奥側に向かって挿入される。
【００２５】
そして、フィルター４は、フロントパネル２に設けられた１組の断面がコの字状のフィルター４の保持部１２にフィルター４の両端が接触してガイドされながら挿入され、固定用ツメ９がフロントパネル２に引っかかり固定される。
【００２６】
その際、フィルター４に設けられたレバーの先端１３は、フロントパネル２の吸込み口３の近傍に設けられた凹部１４の中に入り込む。
【００２７】
上記構成において、フィルター４を手前に引き抜く際の動作について、図４を用いて説明する。
【００２８】
フィルター４がフロントパネル２に挿入された状態において、レバー１０の操作部１５を手前側に倒すと、「てこ」の原理によりレバーの先端１３がフロントパネル２に設けられた凹部１４の内壁を押し、フィルター４に設けられた固定用ツメ９がフロントパネル２から外れる。
【００２９】
この際、レバー１０と固定用ツメ９とがお互い近傍に配置されていると、レバーの先端１３が受けた力が固定用ツメ９に伝わり易く、固定用ツメ９が容易に外すことができる。
【００３０】
また、固定用ツメ９が外れた後、さらにレバー１０の操作部１５を手前側に倒すと、フィルター４が手前側にスライドし、フィルター４の取っ手８がフロントパネル２の開口部１１から外に出る。
【００３１】
その状態で、フィルター４の取っ手８を持ち引き抜けば、大きな力をかけずに容易にフィルター４を引き抜くことができる。
【００３２】
なお、レバー１０の指をかける部分の幅を例えば８０ｍｍ以上とした。というのは、一般的に指１本が約２０ｍｍなので、指４本（親指を除いた）でレバー１０の指を引っ掛ける部分に引っ掛けるので、８０ｍｍとした。
【００３３】
（実施の形態２）
図５に示すように、浴室１６は浴槽１７と、浴槽１７と壁などで分断されていない空間である洗い場空間１８とを備え、天井面１９には点検口２０および天井開口部２１があり、図６に示す浴室１６の天井裏空間２２に浴室暖房乾燥機の本体１を設け、天井開口部２１を介して浴室１６に連通している。
【００３４】
なお、図５に示す点検口２０は洗い場空間１８の直上、天井開口部２１は浴槽１７の直上に位置している。
【００３５】
また、図６に示すように浴室暖房乾燥機は、浴室１６の天井面１９にフロントパネル２が設置され、浴室暖房乾燥機の本体１は、吸込み口３の近傍に浴室１６の空気を吸込み口３から取り入れた空気を加熱する空気加熱手段としての温水を用いた熱交換器２３と、熱交換器２３に対して下流側に空気を循環させる循環送風手段としての循環ファンモータ２４とを備えている。循環ファンモータ２４が駆動することにより、吸込み口３から取り入れた空気は、循環ファンモータ２４により送風空気として浴室１６に空気を送風する吹出し口５までを繋ぐ通風路２５を通過し吹出し口５に到達する。また、前記空気は熱交換器２３により加熱されることで温風とすることもできる。
【００３６】
さらに、前記送風空気は、吹出し口５から送風された風向を変化させる風向制御手段としての風向板２６と、前記風向板２６を稼動させる手段としてのモータ好ましくはステッピングモータ（図示せず）により、浴室１６の任意の方向へ送風することができる。
【００３７】
なお、循環ファンモータ２４として、ファンは例えばシロッコファンを用い、モータはＤＣを用いている。
【００３８】
なお、本実施の形態２において、浴室暖房乾燥機の本体１に浴室１６をサウナ空間とすることができる加湿手段を設けても良い。
【００３９】
なお、本実施の形態２では空気加熱手段として温水を用いた熱交換器２３を用いたが、熱交換器２３に換えてＰＴＣヒータ、ハロゲンヒータ、シーズヒータ、ヒートポンプ等を用いてもよい。
【００４０】
そして、浴室暖房乾燥機の本体１の点検口２０側の外部に浴室１６の空気を屋外に排出する換気手段としての換気ファンモータ２７を備えた換気部２８をねじ止めさせて設け、換気部２８と浴室暖房乾燥機の本体１を連通し連通する開口形状（開口面積に相当）を調節するダンパ２９を備え、浴室１６の換気を行うことができる。
【００４１】
なお、ダンパ２９を無くし、浴室暖房乾燥機の本体１内部に換気手段を備える構成、または外部換気装置と浴室暖房乾燥機とをダクト配管を介して連通する構成でも良い。
【００４２】
また、前記浴室暖房乾燥機は、運転の制御および演算を行なう制御手段としての電装基板３０と、電装基板３０に接続され、運転開始からの経過時間を計測するタイマー３１と、前記浴室暖房乾燥機を脱衣室３２内から操作し運転状態を表示する操作手段としての脱衣室リモコン３３とを備え、脱衣室リモコン３３からの操作により、浴室暖房乾燥機の運転を行うことができる。
【００４３】
このような浴室暖房乾燥機においては、フロントパネル２が高い天井面１９に設置されているため、フィルター４を固定用ツメ９を外しながら引き抜くという動作は、行い難い。
【００４４】
しかしながら、フィルター４を引き抜く前にレバー１０を操作することにより、固定用ツメが外れた状態となり、かつフィルター４の取っ手８がフロントパネル２から飛び出した状態となるため、取っ手８を持ちフィルター４を容易に引き抜くことができる。
【００４５】
（実施の形態３）
図７に示すように、レバー部３５の両端にレバー部３５より高いリブ３６をフィルター３７に設ける。
【００４６】
また、リブ３６の形状は、手前側から下方へ向かって曲線部３８を設けた形状である。
【００４７】
これにより、フィルター３７を開口部１１（図３参照）に下方から上方奥側へ滑り込むように挿入させ、フロントパネル２（図１参照）にリブ３６の曲線部３８が接触し、曲線部３８に沿ってフィルター３７が吸込み口３（図１参照）に挿入させる。
【００４８】
よって、フロントパネル２（図１参照）の表面にレバー部３５が接触して挿入し擦れそれによって広範囲に無数の線状の傷が付くが、それを防止することができる。
【００４９】
また、レバー部３５の曲線部３８がフロントパネル２に接触してフィルター３７が開口部１１（図３参照）に挿入するように進むので、少ない力でフィルター３７を開口部１１（図３参照）に挿入することができる。
【００５０】
また、レバー部３５の先端であるレバーの先端１３に、落下防止用リブ３９の根元４０をＲ形状４１として設ける。
【００５１】
これにより、フィルター３７に固定されているレバー部３５の固定が外れる、すなわち、凸状のボス３４が係合穴４２から外れて落下する。が、落下防止用リブ３９がフィルター３７に引っ掛かることとなる。
【００５２】
よって、フィルター３７の新旧の交換をスムーズに行うことができる。
【産業上の利用可能性】
【００５３】
本発明にかかるフロントパネルは、フロントパネルから容易にフィルターを引き出すことができることを可能とするものであるので、空調装置や換気扇に使用されるフロントパネル等として有用である。
【符号の説明】
【００５４】
１    本体
２    フロントパネル
３    吸込み口
４    フィルター
５    吹出し口
６    ネット
７    フィルター枠
８    取っ手
９    固定用ツメ
１０  レバー
１１  開口部
１２  保持部
１３  レバーの先端
１４  凹部
１５  操作部
１６  浴室
１７  浴槽
１８  洗い場空間
１９  天井面
２０  点検口
２１  天井開口部
２２  天井裏空間
２３  熱交換器
２４  循環ファンモータ
２５  通風路
２６  風向板
２７  換気ファンモータ
２８  換気部
２９  ダンパ
３０  電装基板
３１  タイマー
３２  脱衣室
３３  脱衣室リモコン
３４  凸状のボス
３５  レバー部
３６  リブ
３７  フィルター
３８  曲線部
３９  落下防止用リブ
４０  根元
４１  Ｒ形状
４２  係合穴
【図１】
2015212611.tif 000003
【図２】
2015212611.tif 000004
【図３】
2015212611.tif 000005
【図４】
2015212611.tif 000006
【図５】
2015212611.tif 000007
【図６】
2015212611.tif 000008
【図７】
2015212611.tif 000009
【図８】
2015212611.tif 000010